(57)【特許請求の範囲】
【請求項１】
扉の施解錠を行う電子施解錠装置と、当該電子施解錠装置にパケット網を介して接続された施解錠管理サーバと、を備えた施解錠システムであって、
前記施解錠管理サーバは、
前記電子施解錠装置のアドレス情報、及び移動体通信端末の識別情報を互いに対応付けて記憶すると共に、施錠動作設定時間及び解錠動作設定時間を前記電子施解錠装置のアドレス情報に対応付けて記憶するサーバ記憶手段と、
移動体通信端末から移動体通信網を介してアクセスがあった場合に当該移動体通信端末からその識別情報を取得する識別情報取得手段と、
前記取得された識別情報が前記電子施解錠装置のアドレス情報に対応付けられて前記サーバ記憶手段に記憶されているか否かを判別し、記憶されている場合には、前記移動体通信端末に施解錠メニュー画面を提供するメニュー画面提供手段と、
前記提供された施解錠メニュー画面に基づき、前記移動体通信端末にて入力された解錠若しくは施錠指令を受信する解施錠指令受信手段と、
前記受信された解錠若しくは施錠指令を有するパケットデータを生成し、前記取得された識別情報に対応する前記電子施解錠装置のアドレス情報を当該パケットデータに付与して前記パケット網に送出するサーバパケット送信手段と、
前記電子施解錠装置から前記パケット網に送出された前記扉の開放が感知されたことを示す情報を有するパケットデータを受信するサーバパケット受信手段と、を備え、
前記電子施解錠装置は、
扉の開放を感知する開放感知手段と、
前記開放感知手段により扉の開放が感知された場合には、前記扉の開放が感知されたことを示す情報を有するパケットデータを生成し、前記施解錠管理サーバのアドレス情報を当該パケットデータに付与して前記パケット網に送出する装置パケット送信手段と、
扉の施解錠を行う施解錠手段と、
前記施解錠管理サーバから前記パケット網に送出されたパケットデータを受信する装置パケット受信手段と、
前記パケットデータに含まれる解錠若しくは施錠指令に基づいて前記施解錠手段に対し解錠動作信号若しくは施錠動作信号を出力する施解錠制御手段と、を備え、
前記施解錠管理サーバの前記サーバパケット送信手段は、
前記解錠指令を有するパケットデータを前記パケット網に送出した場合には、当該解錠指令を有するパケットデータの送出から前記施錠動作設定時間経過後に、扉の施錠指令を有するパケットデータを生成し、前記取得された識別情報に対応する前記電子施解錠装置のアドレス情報を当該パケットデータに付与して前記パケット網に送出し、
前記解錠指令を有するパケットデータの送出から前記施錠指令を有するパケットデータの送出までの間に、前記パケット受信手段により前記扉の開放が感知されたことを示す情報を有するパケットデータが受信されない場合には、前記施錠指令を有するパケットデータの送出から前記解錠動作設定時間経過後に、扉の解錠指令を有するパケットデータを生成し、前記取得された識別情報に対応する前記電子施解錠装置のアドレス情報を当該パケットデータに付与して前記パケット網に送出することを特徴とする施解錠システム。
【請求項２】
扉の施解錠を行う電子施解錠装置と、当該電子施解錠装置にパケット網を介して接続された施解錠管理サーバと、を備えた施解錠システムであって、
前記施解錠管理サーバは、
前記電子施解錠装置のアドレス情報、及び移動体通信端末の識別情報を互いに対応付けて記憶するサーバ記憶手段と、
移動体通信端末から移動体通信網を介してアクセスがあった場合に当該移動体通信端末からその識別情報を取得する識別情報取得手段と、
前記取得された識別情報が前記電子施解錠装置のアドレス情報に対応付けられて前記サーバ記憶手段に記憶されているか否かを判別し、記憶されている場合には、前記移動体通信端末に施解錠メニュー画面を提供するメニュー画面提供手段と、
前記提供された施解錠メニュー画面に基づき、前記移動体通信端末にて入力された解錠若しくは施錠指令を受信する解施錠指令受信手段と、
前記受信された解錠若しくは施錠指令を有するパケットデータを生成し、前記取得された識別情報に対応する前記電子施解錠装置のアドレス情報を当該パケットデータに付与して前記パケット網に送出するサーバパケット送信手段と、を備え、
前記電子施解錠装置は、
扉の施解錠を行う施解錠手段と、
扉の開放を感知する開放感知手段と、
施錠動作設定時間及び解錠動作設定時間を記憶する装置記憶手段と、
前記施解錠管理サーバから前記パケット網に送出されたパケットデータを受信する装置パケット受信手段と、
前記パケットデータに含まれる解錠若しくは施錠指令に基づいて前記施解錠手段に対し解錠動作信号若しくは施錠動作信号を出力する施解錠制御手段と、を備え、
前記施解錠制御手段は、
前記施解錠手段に対し解錠動作信号を出力した場合には、当該解錠動作信号の出力から前記施錠動作設定時間経過後に、前記施解錠手段に対し施錠動作信号を出力し、
前記解錠動作信号の出力から前記施錠動作信号の出力までの間に、前記開放感知手段により扉の開放が感知されない場合には、前記施錠動作信号の出力から前記解錠動作設定時間経過後に、前記施解錠手段に対し解錠動作信号を出力することを特徴とする施解錠システム。
【請求項３】
請求項１又は２に記載の施解錠システムにおいて、
前記サーバ記憶手段は、更に、前記扉の施解錠を行うための認証コードを前記電子施解錠装置のアドレス情報に対応付けて記憶し、
前記解施錠指令受信手段は、前記提供された施解錠メニュー画面に基づき、前記移動体通信端末にて入力されたコードを受信し、
前記サーバパケット送信手段は、前記受信されたコードと、前記記憶された認証コードとが一致しているか否かを判別し、前記コードが一致している場合には、前記受信された解錠若しくは施錠指令を有するパケットデータを生成し、前記取得された識別情報に対応する前記電子施解錠装置のアドレス情報を当該パケットデータに付与して前記パケット網に送出することを特徴とする施解錠システム。
【請求項４】
請求項１乃至３の何れか一項に記載の施解錠システムにおいて、
前記サーバ記憶手段は、更に、前記解錠若しくは施錠指令を有するパケットデータの送信履歴情報を前記移動体通信端末の識別情報に対応付けて記憶し、
前記施解錠管理サーバは、前記移動体通信端末から送信履歴の要求があった場合に、当該移動体通信端末の識別情報に対応する前記記憶された送信履歴情報を、当該移動体通信端末に提供する送信履歴提供手段と、を更に備えることを特徴とする施解錠システム。
【請求項５】
請求項１乃至４の何れか一項に記載の施解錠システムにおいて、
前記電子施解錠装置は、当該電子施解錠装置の振動を感知する振動感知手段を更に備え、
前記装置パケット送信手段は、前記振動感知手段により前記振動が感知された場合には、前記振動が感知されたことを示す情報を有するパケットデータを生成し、前記施解錠管理サーバのアドレス情報を当該パケットデータに付与して前記パケット網に送出し、
前記サーバパケット受信手段は、前記電子施解錠装置から前記パケット網に送出された前記振動が感知されたことを示す情報を有するパケットデータを受信し、
前記施解錠管理サーバは、前記受信されたパケットデータに含まれる前記振動が感知されたことを示す情報を、前記移動体通信網を介して前記電子施解錠装置に対応する移動体通信端末に通知する振動通知手段と、を更に備えることを特徴とする施解錠システム。
【請求項６】
請求項５に記載の施解錠システムにおいて、
前記電子施解錠装置は、前記振動感知手段により前記振動が感知された場合には、当該電子施解錠装置周辺を撮像する撮像手段を更に備え、
前記装置パケット送信手段は、前記撮像された画像情報を有するパケットデータを生成し、前記施解錠管理サーバのアドレス情報を当該パケットデータに付与して前記パケット網に送出し、
前記サーバパケット受信手段は、前記電子施解錠装置から前記パケット網に送出された前記撮像された画像情報を有するパケットデータを受信し、
前記サーバ記憶手段は、前記受信されたパケットデータに含まれる画像情報を前記電子施解錠装置のアドレス情報に対応付けて記憶し、
前記施解錠管理サーバは、前記移動体通信端末から画像情報の要求があった場合に、前記記憶された画像情報を、当該移動体通信端末に提供する画像情報提供手段と、を更に備えることを特徴とする施解錠システム。
【発明の詳細な説明】
【０００１】
【発明の属する技術分野】
本発明は、パケット通信を利用した扉の施解錠システム等の技術分野に属する。
【０００２】
【従来の技術】
【特許文献１】
特開平１０−２９２６８８号公報
従来より、電話回線を利用した扉の施解錠システム等が種々提案されている。例えば、特許文献１には、電話回線を介して主電話機と通話状態にある携帯電話機がユーザからの操作に基づいて、扉に取り付けられた錠前装置に電話回線を介して施解錠信号を送信することにより扉を施錠または解錠する施解錠システムが開示されている。この施解錠システムでは、携帯電話機から施錠または解錠のキーとなる暗証番号を入力し、その暗証番号の照合によって扉の施錠または解錠を行うようになっている。
【０００３】
【発明が解決しようとする課題】
しかしながら、従来の施解錠システムでは、専ら、電話回線を利用しているため、防犯効果などの付加価値の高い施解錠システムの構築は困難であった。
【０００４】
また、ユーザが暗証番号を携帯電話機から入力するという煩わしさもあった。
【０００５】
そこで、本発明は、上記課題に鑑みてなされたものであり、パケット通信を利用し、より付加価値の高い施解錠システムを提供することを目的とする。
【０００６】
【課題を解決するための手段】
上記課題を解決するため、請求項１記載の発明は、扉の施解錠を行う電子施解錠装置と、当該電子施解錠装置にパケット網を介して接続された施解錠管理サーバと、を備えた施解錠システムであって、前記施解錠管理サーバは、前記電子施解錠装置のアドレス情報、及び移動体通信端末の識別情報を互いに対応付けて記憶すると共に、施錠動作設定時間及び解錠動作設定時間を前記電子施解錠装置のアドレス情報に対応付けて記憶するサーバ記憶手段と、移動体通信端末から移動体通信網を介してアクセスがあった場合に当該移動体通信端末からその識別情報を取得する識別情報取得手段と、前記取得された識別情報が前記電子施解錠装置のアドレス情報に対応付けられて前記サーバ記憶手段に記憶されているか否かを判別し、記憶されている場合には、前記移動体通信端末に施解錠メニュー画面を提供するメニュー画面提供手段と、前記提供された施解錠メニュー画面に基づき、前記移動体通信端末にて入力された解錠若しくは施錠指令を受信する解施錠指令受信手段と、前記受信された解錠若しくは施錠指令を有するパケットデータを生成し、前記取得された識別情報に対応する前記電子施解錠装置のアドレス情報を当該パケットデータに付与して前記パケット網に送出するサーバパケット送信手段と、前記電子施解錠装置から前記パケット網に送出された前記扉の開放が感知されたことを示す情報を有するパケットデータを受信するサーバパケット受信手段と、を備え、前記電子施解錠装置は、扉の開放を感知する開放感知手段と、前記開放感知手段により扉の開放が感知された場合には、前記扉の開放が感知されたことを示す情報を有するパケットデータを生成し、前記施解錠管理サーバのアドレス情報を当該パケットデータに付与して前記パケット網に送出する装置パケット送信手段と、扉の施解錠を行う施解錠手段と、前記施解錠管理サーバから前記パケット網に送出されたパケットデータを受信する装置パケット受信手段と、前記パケットデータに含まれる解錠若しくは施錠指令に基づいて前記施解錠手段に対し解錠動作信号若しくは施錠動作信号を出力する施解錠制御手段と、を備え、前記施解錠管理サーバの前記サーバパケット送信手段は、前記解錠指令を有するパケットデータを前記パケット網に送出した場合には、当該解錠指令を有するパケットデータの送出から前記施錠動作設定時間経過後に、扉の施錠指令を有するパケットデータを生成し、前記取得された識別情報に対応する前記電子施解錠装置のアドレス情報を当該パケットデータに付与して前記パケット網に送出し、前記解錠指令を有するパケットデータの送出から前記施錠指令を有するパケットデータの送出までの間に、前記パケット受信手段により前記扉の開放が感知されたことを示す情報を有するパケットデータが受信されない場合には、前記施錠指令を有するパケットデータの送出から前記解錠動作設定時間経過後に、扉の解錠指令を有するパケットデータを生成し、前記取得された識別情報に対応する前記電子施解錠装置のアドレス情報を当該パケットデータに付与して前記パケット網に送出することを特徴とする。
【０００７】
ここで、移動体通信端末には、例えば、携帯電話機、ＰＨＳ(Personal Handy phone System)、ＰＤＡ(Personal Digital Assistant)等が含まれる。
【０００８】
請求項１記載の発明によれば、前記施解錠管理サーバは、移動体通信端末からのアクセス時に取得した当該移動体通信端末の電話番号等の識別情報が前記電子施解錠装置のアドレス情報に対応付けられて登録されている場合に、移動体通信端末に施解錠メニュー画面を提供する。そして、移動体通信端末のユーザが提供された施解錠メニュー画面上で解錠若しくは施錠指令を入力するだけで、解錠若しくは施錠指令を有するパケットデータがその移動体通信端末に対応する電子施解錠装置に送信される。その結果、扉の施解錠が実施される。従って、ユーザが暗証番号等を移動体通信端末から入力する煩わしさを解消することができ、セキュリティを確保しつつ簡単に扉の施解錠を行うことができる。よって、より付加価値の高い施解錠システムを提供することができる。
また、ユーザは、扉の前であっても、扉から数分離れた場所であっても、パケット通信によりそれぞれの状況にあった、より効果的な扉の施解錠を行うことができる。よって、より付加価値の高い電子施解錠装置を提供することができる。
請求項２に記載の発明は、扉の施解錠を行う電子施解錠装置と、当該電子施解錠装置にパケット網を介して接続された施解錠管理サーバと、を備えた施解錠システムであって、前記施解錠管理サーバは、前記電子施解錠装置のアドレス情報、及び移動体通信端末の識別情報を互いに対応付けて記憶するサーバ記憶手段と、移動体通信端末から移動体通信網を介してアクセスがあった場合に当該移動体通信端末からその識別情報を取得する識別情報取得手段と、前記取得された識別情報が前記電子施解錠装置のアドレス情報に対応付けられて前記サーバ記憶手段に記憶されているか否かを判別し、記憶されている場合には、前記移動体通信端末に施解錠メニュー画面を提供するメニュー画面提供手段と、前記提供された施解錠メニュー画面に基づき、前記移動体通信端末にて入力された解錠若しくは施錠指令を受信する解施錠指令受信手段と、前記受信された解錠若しくは施錠指令を有するパケットデータを生成し、前記取得された識別情報に対応する前記電子施解錠装置のアドレス情報を当該パケットデータに付与して前記パケット網に送出するサーバパケット送信手段と、を備え、前記電子施解錠装置は、扉の施解錠を行う施解錠手段と、扉の開放を感知する開放感知手段と、施錠動作設定時間及び解錠動作設定時間を記憶する装置記憶手段と、前記施解錠管理サーバから前記パケット網に送出されたパケットデータを受信する装置パケット受信手段と、前記パケットデータに含まれる解錠若しくは施錠指令に基づいて前記施解錠手段に対し解錠動作信号若しくは施錠動作信号を出力する施解錠制御手段と、を備え、前記施解錠制御手段は、前記施解錠手段に対し解錠動作信号を出力した場合には、当該解錠動作信号の出力から前記施錠動作設定時間経過後に、前記施解錠手段に対し施錠動作信号を出力し、前記解錠動作信号の出力から前記施錠動作信号の出力までの間に、前記開放感知手段により扉の開放が感知されない場合には、前記施錠動作信号の出力から前記解錠動作設定時間経過後に、前記施解錠手段に対し解錠動作信号を出力することを特徴とする。
請求項２記載の発明によれば、ユーザは、扉の前であっても、扉から数分離れた場所であっても、パケット通信によりそれぞれの状況にあった、より効果的な扉の施解錠を行うことができる。よって、より付加価値の高い電子施解錠装置を提供することができる。
【０００９】
請求項３に記載の発明は、請求項１又は２に記載の施解錠システムにおいて、前記サーバ記憶手段は、更に、前記扉の施解錠を行うための認証コードを前記電子施解錠装置のアドレス情報に対応付けて記憶し、前記解施錠指令受信手段は、前記提供された施解錠メニュー画面に基づき、前記移動体通信端末にて入力されたコードを受信し、前記サーバパケット送信手段は、前記受信されたコードと、前記記憶された認証コードとが一致しているか否かを判別し、前記コードが一致している場合には、前記受信された解錠若しくは施錠指令を有するパケットデータを生成し、前記取得された識別情報に対応する前記電子施解錠装置のアドレス情報を当該パケットデータに付与して前記パケット網に送出することを特徴とする。
【００１０】
請求項３記載の発明によれば、ユーザは、移動体通信端末から暗証番号等のコードを入力することができ、施解錠管理サーバは、入力されたコードが予め登録された認証コードと一致する場合に、解錠若しくは施錠指令を有するパケットデータを電子施解錠装置に送信するので、よりセキュリティを向上させることができる（２段構え）。
【００１１】
請求項４に記載の発明は、請求項１乃至３の何れか一項に記載の施解錠システムにおいて、前記サーバ記憶手段は、更に、前記解錠若しくは施錠指令を有するパケットデータの送信履歴情報を前記移動体通信端末の識別情報に対応付けて記憶し、前記施解錠管理サーバは、前記移動体通信端末から送信履歴の要求があった場合に、当該移動体通信端末の識別情報に対応する前記記憶された送信履歴情報を、当該移動体通信端末に提供する送信履歴提供手段と、を更に備えることを特徴とする。
【００１２】
請求項４記載の発明によれば、ユーザは、移動体通信端末から簡単にパケットデータの送信履歴情報を確認することができる。この送信履歴情報には、例えば、パケットデータの送信時間、解錠指令と施錠指令の別等の情報が含まれる。
【００１７】
請求項５に記載の発明は、請求項１乃至４の何れか一項に記載の施解錠システムにおいて、前記電子施解錠装置は、当該電子施解錠装置の振動を感知する振動感知手段を更に備え、前記装置パケット送信手段は、前記振動感知手段により前記振動が感知された場合には、前記振動が感知されたことを示す情報を有するパケットデータを生成し、前記施解錠管理サーバのアドレス情報を当該パケットデータに付与して前記パケット網に送出し、前記サーバパケット受信手段は、前記電子施解錠装置から前記パケット網に送出された前記振動が感知されたことを示す情報を有するパケットデータを受信し、前記施解錠管理サーバは、前記受信されたパケットデータに含まれる前記振動が感知されたことを示す情報を、前記移動体通信網を介して前記電子施解錠装置に対応する移動体通信端末に通知する振動通知手段と、を更に備えることを特徴とする。
【００１８】
請求項５に記載の発明によれば、電子施解錠装置の振動が感知された場合に、ユーザは、パケット通信により遠方からでも移動体通信端末にて、その事実を迅速に把握することができる。よって、扉の遠方からの施解錠ばかりでなく、防犯効果も有する付加価値の高い電子施解錠装置を提供することができる。
【００１９】
請求項６に記載の発明は、請求項５に記載の施解錠システムにおいて、前記電子施解錠装置は、前記振動感知手段により前記振動が感知された場合には、当該電子施解錠装置周辺を撮像する撮像手段を更に備え、前記装置パケット送信手段は、前記撮像された画像情報を有するパケットデータを生成し、前記施解錠管理サーバのアドレス情報を当該パケットデータに付与して前記パケット網に送出し、前記サーバパケット受信手段は、前記電子施解錠装置から前記パケット網に送出された前記撮像された画像情報を有するパケットデータを受信し、前記サーバ記憶手段は、前記受信されたパケットデータに含まれる画像情報を前記電子施解錠装置のアドレス情報に対応付けて記憶し、前記施解錠管理サーバは、前記移動体通信端末から画像情報の要求があった場合に、前記記憶された画像情報を、当該移動体通信端末に提供する画像情報提供手段と、を更に備えることを特徴とする。
【００２０】
請求項６に記載の発明によれば、電子施解錠装置の振動が感知された場合に、ユーザは、パケット通信により遠方から、何が原因で電子施解錠装置に振動が与えられたのかを画像によって迅速に把握することができ、迅速かつ的確に対応することが可能となる。よって、扉の遠方からの施解錠ばかりでなく、防犯効果も有する付加価値の高い電子施解錠装置を提供することができる。
【００２３】
【発明の実施の形態】
以下、本発明の好適な実施の形態を添付図面に基づいて説明する。
【００２４】
先ず、図１を参照して、本実施形態にかかる施解錠システムＳの構成について説明する。
【００２５】
図１は、施解錠システムＳの概要構成例を示す図である。図１に示すように、電子施解錠装置１は、電話回線網７に有線により接続されており、当該電話回線網７を通じて電話機２と通信可能（電話回線網７、交換局６、及びパケット網８等を通じて携帯電話機３とも通信可能）になっている。また、電子施解錠装置１は、基地局５との間で無線によるパケット通信可能になっており、当該基地局５及びパケット網８を通じて施解錠管理サーバとしての情報提供サーバ４とパケット通信可能になっている。また、移動体通信端末としての携帯電話機３は、パケット網８を介して情報提供サーバ４にアクセスし、当該サーバ４から提供された情報をブラウザ機能により参照することができる。
【００２６】
ここで、パケット網８とは、パケット通信可能なネットワークを意味し、移動体通信ネットワーク、インターネットなどが含まれる。また、図示しないが、パケット網８には、パケット処理装置（ＰＰＭ）、及びパケットゲートウェイ（ＰＧＷ）等が含まれている。パケット処理装置（ＰＰＭ）は、パケットデータを送信先の通信装置に届けるための接続処理を行うものであり、パケットゲートウェイ（ＰＧＷ）は、例えば、移動体通信ネットワークとインターネットとの関所の役割を担う。なお、情報提供サーバ４と電子施解錠装置１の間に介在するパケット網は専用のパケット通信網（例えば、Ｄｏｐａ網）を適用してもよい。
【００２７】
次に、図２及び図３を参照して、電子施解錠装置１の構成及び機能について説明する。
【００２８】
この電子施解錠装置１は、自宅やオフィス等の建物、建物内の各部屋（マンションを含む）の入口内側（玄関）の扉の開口部分（扉側若しくは建物側）に取り付けられる。
【００２９】
図２は、電子施解錠装置１が扉１０の開口部分に取り付けられている（本実施形態においては、建物側に取り付けられている）ときの状態を示す図であり、図２（Ａ）は、扉１０が施錠されているときの状態を、図２（Ｂ）は、扉１０が解錠されているときの状態を、それぞれ示している。
【００３０】
図３は、電子施解錠装置１の機能ブロック例を示す図である。図３に示すように、電子施解錠装置１は、電話回線網７を介して電話機２から送信された電気信号を受信し当該電気信号に含まれるコードを抽出する通信部１１と、基地局５との間で無線によるパケット通信を行う無線通信部１２と、扉の施解錠を行う施解錠手段としての施解錠部１３と、扉の開放を感知する開放感知手段としての開放感知部１４と、電子施解錠装置１の振動を感知する振動感知手段としての振動感知部１５と、電子施解錠装置１周辺を撮像する撮像手段としてのカメラ１６と、電子施解錠装置１周辺の音を集音する集音手段としてのマイクロフォン１７と、音声情報を出力する音声情報出力手段としてのスピーカ１８と、認証コードとしての暗証番号（例えば、４桁に数字）、施錠動作設定時間及び解錠動作設定時間等を含む各種情報を記憶する装置記憶手段としての不揮発性メモリ（例えば、ＥＥＰＲＯＭ（Electrically Erasable Programmable Read Only Memory）１９と、暗証番号，施錠動作設定時間及び解錠動作設定時間を設定する設定部２０と、施解錠部１３の施解錠動作を制御する施解錠制御手段としての制御部２１と、を備えて構成されている。なお、電子施解錠装置１には、その他にも、制御部２１により制御される発光ダイオードや、ブザー等を備えている。また、不揮発性メモリ１９には、警報音や、警報メッセージ等の音声情報もが記憶されている。
【００３１】
また、これらの各構成要素には、外部ＡＣ電源２３、例えば、建物に供給されているＡＣ電源から、コンセント及びＡＣアダプター等を介して電力供給がなされるようになっている。また、電子施解錠装置１は、外部ＡＣ電源２３からの電気を充電する充電器２２を備えており、当該充電器２２は、例えば、停電、電気配線の断線等により、外部ＡＣ電源２３からの電力供給が不能になった場合に、これらの構成要素に対して電力供給を行うようになっている。また、電子施解錠装置１には固有の電話番号及びアドレス情報が割当られている。
【００３２】
通信部１１は、例えば、電話回線受信ブリッジ回路、ＤＴＭＦ（Dual Tone Multi Frequency）デコーダ等を主体として構成され、その入力端子が電話回線網７に接続されている。ユーザが電話機２から電子施解錠装置１に電話を掛け通信が確立された後、電話機２においてユーザにより入力されたコードとしての暗証番号は、電気信号、例えば、ＤＴＭＦ（Dual Tone Multi Frequency）信号となって電子施解錠装置１に送信されるが、通信部１１は、ＤＴＭＦ信号から暗証番号を抽出し、制御部２１に出力するようになっている。
【００３３】
無線通信部１２は、装置パケット受信手段としてのパケット受信部１２ａ、パケット解析手段としてのパケット解析部１２ｂ、装置パケット送信手段としてのパケット生成部１２ｃ、及びパケット送信部１２ｄを含んで構成されている。
【００３４】
パケット受信部１２ａは、電子施解錠装置１のアドレス情報が付与（電子施解錠装置１を宛先とする）され、情報提供サーバ４からパケット網８に送出されたパケットデータを、基地局５及びアンテナを介して受信し、パケット解析部１２ｂに出力するようになっている。
【００３５】
ここで、パケットデータとは、通信データがパケットに分割された個々のデータを意味する。各パケットデータには、宛先を示すアドレス情報とともに、当該パケットデータが全体の通信データの中のどの位置にあるのかを示すパケット位置情報がヘッダ情報として付与されている。
【００３６】
パケット解析部１２ｂは、受信されたパケットデータを解析し、通信データ（例えば、コードとしての暗証番号、画像情報、及び音声情報等）を取得し、制御部２１に出力するようになっている。つまり、パケット解析部１２ｂは、パケット位置情報に基づき、パケットデータを並べ直して通信データを復元して取得し、制御部２１に出力する。
【００３７】
パケット生成部１２ｃは、パケット通信に際して通信データを分割してパケットデータを生成し、情報提供サーバ４のアドレス情報を含むヘッダ情報を付与し、パケット送信部１２ｄに出力するようになっている。
【００３８】
パケット送信部１２ｄは、パケット生成部１２ｃからのパケットデータをパケット網８に送出するようになっている。
【００３９】
施解錠部１３は、回転モータ１３ａ、ギア・リンク機構１３ｂ、シリンダ１３ｃ、及びリミットＳＷ１３ｄ等により構成されている。回転モータ１３ａは、制御部２１の制御に基づき回転軸が回転（正回転若しくは、逆回転）駆動する。ギア・リンク機構１３ｂは、ギア及び作動レバー等を備えており、回転モータ１３ａの回転駆動力は、ギアによって作動レバーに伝達される。これにより、当該作動レバーが回動し、シリンダ１３ｃが摺動するようになっている。
【００４０】
扉１０が施錠されているときの状態においては、図２（Ａ）に示すように、シリンダ１３ｃが電子施解錠装置１から突出され、扉１０に固定設置されたシリンダ受け皿１０１に嵌合されている。これにより、扉１０の開放が阻止されるようになっている。一方、扉１０が解錠されているときの状態においては、図２（Ｂ）に示すように、シリンダ１３ｃが電子施解錠装置１内に収納されている。
【００４１】
リミットＳＷ１３ｄは、シリンダ１３ｃがシリンダ受け皿１０１に嵌合されている状態（図２（Ａ））において動作する機械スイッチと、シリンダ１３ｃが電子施解錠装置１内に収納されている状態（図２（Ｂ））において動作する機械スイッチとにより構成されており、それぞれの機械スイッチは、動作状態にあるときに、動作信号を制御部２１に出力するようになっている。
【００４２】
なお、本実施形態においては、図示のように、シリンダ１３ｃは、２本の円柱型の金属により構成され、電子施解錠装置１の両端に設けられているが、電子施解錠装置１の一端に設けるように構成してもよい。
【００４３】
このように、シリンダ１３ｃは、回転モータの回転駆動によって図中矢印Ａ及びＢ方向に摺動されるようになっており、例えば、回転モータが正回転駆動した場合には、シリンダ１３ｃが電子施解錠装置１から突出される方向（図中Ａ方向）に摺動されるようになっており、回転モータが逆回転駆動した場合には、シリンダ１３ｃが電子施解錠装置１内に収納される方向（Ｂ方向）に摺動されるようになっている。また、この場合、回転モータは、制御部２１からの施錠動作信号に従い正回転駆動され、制御部２１からの解錠動作信号に従い逆回転駆動されることになる。
【００４４】
開放感知部１４は、扉１０が解錠されているときの状態においてユーザが扉１０を開放すると、扉１０の開放を感知し制御部２１に信号を出力するようになっている。例えば、開放感知部１４が、磁気センサーを備えるとともに、シリンダ受け皿１０１が磁石を備えるようにし、扉１０が閉まっているときは磁気センサーがその磁石の磁気を感知できるように設定し、扉１０が開放されたときに磁気センサーがその磁石の磁気を感知できないように設定するように構成する。そして、磁気センサーが磁石の磁気を感知できないとき、開放感知部１４が、制御部２１に扉１０の開放の感知を示す信号を出力するように構成する（感知した時に信号を出力するようにしてもよい）。
【００４５】
振動感知部１５は、振動センサーを備え、電子施解錠装置１に振動が与えられた場合に、当該振動センサーは、電子施解錠装置１の振動を感知し制御部２１に信号を出力するようになっている。この振動センサーは、振動レベル設定機能を有しており、ユーザが何段階かの振動レベルを設定できるようになっている。これにより、例えば、震度３程度の地震では振動を感知しない一方、扉１０が何者かにより強引に開放されるときの振動（衝撃）を感知するように設定することが可能である。
【００４６】
なお、振動センサーの代わりに、或いはこれと共に傾き検出センサーを備え、扉１０が何者かにより強引に開放される際に電子施解錠装置１が傾いた場合や、電子施解錠装置１が取り外される際に電子施解錠装置１が傾いた場合等に、電子施解錠装置１の傾きを感知し制御部２１に信号を出力するように構成してもよい。この傾きセンターには、傾きレベル設定機能を有しており、ユーザが何段階かの傾きレベルを設定できるようにする。
【００４７】
カメラ１６は、例えば、ＣＣＤカメラや、ＣＭＯＳカメラ等の小型撮像素子により構成されており、振動感知部１５により電子施解錠装置１の振動が感知された場合（或いは、電子施解錠装置１が傾いた場合）に、制御部２１の制御の下、電子施解錠装置１周辺を撮像し、撮像された画像情報を制御部２１に出力するようになっている。これにより、例えば、扉１０が何者かにより強引に開放されるときの様子を撮像することができる。なお、撮像される画像は、動画像であっても、静止画像であってもよい。
【００４８】
マイクロフォン１７は、振動感知部１５により電子施解錠装置１の振動が感知された場合（或いは、電子施解錠装置１が傾いた場合）に、制御部２１の制御の下、電子施解錠装置１周辺の音を集音し、集音された音声情報を制御部２１に出力するようになっている。これにより、例えば、扉１０が何者かにより強引に開放されるときの音を取得することができる。
【００４９】
スピーカ１８は、振動感知部１５により電子施解錠装置１の振動が感知された場合（或いは、電子施解錠装置１が傾いた場合）、制御部２１の制御の下、不揮発性メモリ１９に記憶された警報を示す警報音や、警報メッセージ等の音声情報を出力する。また、スピーカ１８は、制御部２１の制御の下、情報提供サーバ４等からの音声情報を出力する。
【００５０】
設定部２０は、上記暗証番号、施錠動作設定時間及び解錠動作設定時間の何れか１つの設定要素を選択する設定スイッチと、暗証番号、施錠動作設定時間及び解錠動作設定時間を設定する設定ボタン及びカウンタと、を含んで構成されており、上記暗証番号、施錠動作設定時間及び解錠動作設定時間を設定することができるようになっている。
【００５１】
例えば、解錠動作設定時間の場合、ユーザが設定スイッチにより解錠動作設定時間の設定要素を選択する。そしてユーザが設定ボタンを押下することにより、設定カウンタがその押下をカウント、そのカウント数に応じた解錠動作設定時間が不揮発性メモリ１９に記憶されることになる。例えば、１カウントの場合５分、２カウントの場合１０分、３カウントの場合１５分、４カウントの場合２０分、５カウントの場合・・・というように記憶される。
【００５２】
施錠動作設定時間の場合も、ユーザが設定スイッチにより施錠動作設定時間の設定要素を選択し、設定ボタンの押下によりカウント数に応じた施錠動作設定時間が不揮発性メモリ１９に記憶されることになる。例えば、１カウントの場合１０秒、２カウントの場合１５秒、３カウントの場合２０秒、４カウントの場合２５秒、５カウントの場合・・・というように記憶される。
【００５３】
なお、ここでは、設定可能な時間間隔が５分毎になるように設定したが、これより短く設定することもできるし、長く設定できるようにすることもできる。
【００５４】
暗証番号の場合、ユーザが、設定スイッチにより暗証番号の設定要素を選択した後、例えば、電話機２等から電子施解錠装置１に電話を掛け、電話機２の操作ボタンを操作することにより、ユーザが設定したい暗証番号を入力する。入力された暗証番号は、電話回線網７を介して電子施解錠装置１に送られる。そして、送られた暗証番号は、設定部２０により不揮発性メモリ１９に記憶されることになる。
【００５５】
制御部２１は、ＣＰＵを主体としてＲＡＭ，ＲＯＭ等を含んで構成されており、ＲＯＭに記憶されたプログラムを実行することにより、上述した各構成要素を制御するようになっている。また、ＲＡＭには、作業用メモリであり、不揮発性メモリ１９に記憶された情報が、適宜記憶されるようになっている。
【００５６】
制御部２１は、具体的には、通信部１１により抽出された暗証番号と、不揮発性メモリ１９に記憶された暗証番号とが一致しているか否かを判別し、当該暗証番号が一致していると判別した場合には、施解錠部１３に対し解錠動作信号を出力するようになっている。また、制御部２１は、パケット解析部１２ｂにより取得された暗証番号と、不揮発性メモリ１９に記憶された暗証番号とが一致しているか否かを判別し、当該暗証番号が一致していると判別した場合には、施解錠部１３に対し解錠動作信号を出力するようになっている。
【００５７】
また、制御部２１は、上記解錠動作信号の出力からタイマ動作による施錠動作設定時間（例えば、１０秒）経過後に、施解錠部１３に対し施錠動作信号を出力するようになっている。さらに、上記解錠動作信号の出力から上記施錠動作信号の出力までの間（扉１０の解錠から施錠までの約１０秒間）に、開放感知部１４により扉１０の開放が感知されない場合には、制御部２１は、施錠動作信号の出力からタイマ動作による解錠動作設定時間（例えば、１５分）経過後に、施解錠部１３に対し解錠動作信号を出力するようになっている。一方、開放感知部１４により扉１０の開放が感知された場合には、タイマ動作が解除され、解錠動作設定時間経過後の解錠動作信号出力は行われないようになっている。
【００５８】
また、制御部２１は、振動感知部１５から電子施解錠装置１の振動の感知（或いは、電子施解錠装置１の傾きの検出）を示す信号（以下、「振動感知信号」という）を受けた場合には、振動が感知されたことを示す情報（以下、「振動感知情報」という）を無線通信部１２のパケット生成部１２ｃに出力するようになっている。この時、制御部２１は、カメラ１６に対し電子施解錠装置１周辺の撮像指令を与えるとともに、当該カメラ１６により撮像され出力された画像情報を取得して、これを振動感知情報とともにパケット生成部１２ｃに出力するようにしてもよい。また、この時、制御部２１は、マイクロフォン１７に対し電子施解錠装置１周辺の集音指令を与えるとともに、当該マイクロフォン１７により集音され出力された音声情報を取得して、これを振動感知情報とともにパケット生成部１２ｃに出力するようにしてもよい。これにより、電子施解錠装置１は、振動感知情報等を、パケット網８を介して情報提供サーバ４に送信することができる。
【００５９】
また、制御部２１は、振動感知部１５から振動感知信号を受けた場合には、不揮発性メモリ１９に記憶された警報音や、警報メッセージ等の音声情報を読み出し、スピーカ１９から出力するようになっている。また、振動感知情報を有するパケットデータに応じて情報提供サーバ４から送信された音声情報を有するパケットデータをパケット受信部１２ａが受信した場合に、制御部２１は、その音声情報をスピーカ１８から出力させるようになっている。
【００６０】
さらに、制御部２１は、シリンダ１３ｃがシリンダ受け皿１０１に良好に嵌合されない場合（例えば、扉１０の自重によって扉１０の位置がずれてきたり、扉１０下部や蝶番部にゴミ等が挟まって扉１０が完全に閉まらなかったりした場合）に、施解錠部１３の施錠動作の異常を感知し、上記施錠動作信号を所定間隔（例えば、２秒間隔）で所定回数（例えば、３回）出力することによりリトライを行うようになっている。施解錠部１３の施錠動作の異常を感知は、例えば、シリンダ１３ｃがシリンダ受け皿１０１に嵌合されている状態（図２（Ａ））において動作するリミットＳＷ１３ｄにおける機械スイッチと、シリンダ１３ｃが電子施解錠装置１内に収納されている状態（図２（Ｂ））において動作するリミットＳＷ１３ｄにおける機械スイッチとの双方から動作信号が所定時間（例えば、２秒間）入力されない場合に行われる。
【００６１】
次に、図４を参照して、情報提供サーバ４の構成及び機能を説明する。
【００６２】
図４は、情報提供サーバ４の機能ブロック例を示す図である。情報提供サーバ４は、パケット網８に接続されているコンピュータであり、図４に示すように、制御部４ａ、通信部４ｂ、及びサーバ記憶手段としての記憶部４ｃ等を備えている。
【００６３】
通信部４ｂは、情報提供サーバ４のアドレス情報が付与され、電子施解錠装置１等からパケット網８に送出されたパケットデータを受信し、パケット位置情報に基づき、パケットデータを並べ直して通信データを復元して取得し、制御部４ａに出力する機能を有している。また、通信部４ｂは、パケット通信に際して通信データを分割してパケットデータを生成し、電子施解錠装置１のアドレス情報を含むヘッダ情報を付与し、そのパケットデータをパケット網８に送出する機能を有している。
【００６４】
記憶部４ｃは、ハードディスクドライブ等から構成されており、電子施解錠装置１の識別情報（例えば、アドレス情報や電話番号）と携帯電話機３の識別情報（例えば、アドレス情報や電話番号）とが対応付けられて記憶された情報データベース４００を備えている。また、この情報データベース４００には、電子施解錠装置１の暗証番号が識別情報に対応付けられて記憶されている。記憶部４ｃは、制御部４ａの指示の下、これらの情報を情報データベース４００に記憶するようになっている。
【００６５】
制御部４ａは、ＣＰＵを主体としてＲＡＭ，ＲＯＭ等を含んで構成されており、ＲＯＭに記憶されたプログラムを実行することにより、情報提供サーバ４全体を制御するようになっている。
【００６６】
このように構成された情報提供サーバ４は、電子施解錠装置１と携帯電話機３との間で情報を仲介する役割を担っている。例えば、情報提供サーバ４は、電子施解錠装置１からパケット網８を介して送信された振動感知情報等を、電子施解錠装置１の識別情報に対応付けて情報データベース４００に記憶するとともに、電子施解錠装置１に対応する携帯電話機３に対し、振動感知情報等が送信されたことを示す情報を送信するようになっている。また、情報提供サーバ４は、携帯電話機３からのアクセスに対し、情報データベース４００に記憶された振動感知情報等をパケット網８を介して携帯電話機３に送信するようになっている。さらに、情報提供サーバ４は、携帯電話機３からパケット網８を介して送信された音声情報を電子施解錠装置１に送信するようになっている。
【００６７】
次に、施解錠システムＳにおける動作の実施例について説明する。
【００６８】
（実施例１）
実施例１では、パケット通信により扉１０の施解錠が行われる場合の施解錠システムＳにおける動作例について説明する。
【００６９】
先ず、ユーザの操作により、携帯電話機３が、パケット網８を介して情報提供サーバ４にアクセスすると、当該サーバ４は認証処理を行う。つまり、情報提供サーバ４は、当該アクセスの際に携帯電話機３から送信された識別情報を識別情報取得手段として取得し、取得された識別情報が電子施解錠装置１のアドレス情報に対応付けられて情報データベース４００に記憶されているか否かを判別し、記憶されている場合には、認証良好として、携帯電話機３に施解錠メニュー画面を提供する。
【００７０】
これにより、かかる施解錠メニュー画面は、携帯電話機３のブラウザ機能により表示パネル上に表示される。情報提供サーバ４は、例えば、ｉモード（登録商標）のサービスによって、施解錠メニュー画面を提供することができる。
【００７１】
次に、ユーザが、携帯電話機３の表示パネル上の施解錠メニュー画面において扉の解錠若しくは施錠指令と、暗証番号を操作ボタンにより入力（選択実行）すると、入力された解錠若しくは施錠指令、及び暗証番号が情報提供サーバ４に送信される。情報提供サーバ４は、これらの情報を受信し、サーバパケット送信手段として、このパケットデータを生成し、電子施解錠装置１のアドレス情報を含むヘッダ情報を付与してパケット網８に送出する。
【００７２】
次に、電子施解錠装置１は、パケット網８に送出されたパケットデータを、基地局５及びアンテナを介して受信（パケット受信部１２ａによる）、解析（パケット解析部１２ｂ）し、暗証番号を取得する。取得された暗証番号は、制御部２１に出力される。
【００７３】
図５は、暗証番号を受けた電子施解錠装置１の制御部２１の処理の流れを示すフローチャートである。なお、以下の実施例においては、上記暗証番号、施錠動作設定時間及び解錠動作設定時間は、設定部２０により既に設定されているものとし、携帯電話機３からの指令は解錠指令であるものとする。
【００７４】
電子施解錠装置１の制御部２１は、図５に示す処理を開始し、取得された暗証番号と、不揮発性メモリ１９に記憶された暗証番号とが一致しているか否かを判別する（ステップＳ１）。当該暗証番号が一致していないと判別された場合には、扉１０の解錠は行われない。
【００７５】
一方、当該暗証番号が一致していると判別した場合には（ステップＳ１：Ｙ）、制御部２１は、施解錠部１３に対し解錠動作信号を出力する（ステップＳ２）。これにより、施解錠部１３では、上述したように、回転モータが回転駆動し、図２（Ｂ）に示すように、シリンダ１３ｃが電子施解錠装置１内に収納される方向（Ｂ方向）に摺動されることにより、扉１０の解錠が行われることになる。
【００７６】
また、解錠動作信号の出力により不揮発性メモリ１９に記憶された施錠動作設定時間（例えば、１０秒）がタイマにセットされ、タイマ動作が行われる。
【００７７】
次に、制御部２１は、施錠動作設定時間が経過するまでの間に、開放感知部１４から扉１０の開放の感知を示す信号の入力があるか否かを判別し（ステップＳ４）、当該信号の入力があった場合には（ステップＳ４：Ｙ）、解錠動作設定時間のタイマ動作を解除設定する（ステップＳ５）。つまり、ユーザが、解錠された扉１０を開けた場合には、解錠動作設定時間のタイマ動作は解除されることになる。一方、解錠された扉１０が開放されない場合には、後述するように、自動ロックから解錠動作設定時間後に再度、解錠されることになる。これにより、ユーザは、帰宅時間を見計らって、事前（例えば、帰宅の１５分前）に携帯電話機３を用いてパケット通信により扉１０の解錠が行われるようにすることができる。
【００７８】
こうして、施錠動作設定時間が経過した場合には（ステップＳ３：Ｙ）、制御部２１は、施解錠部１３に対し施錠動作信号を出力する（ステップＳ６）。これにより、施解錠部１３では、上述したように、回転モータが回転駆動し、図２（Ａ）に示すように、シリンダ１３ｃが電子施解錠装置１から突出される方向（図中Ａ方向）に摺動されることにより、扉１０の施錠（自動ロック）が行われることになる。
【００７９】
次に、制御部２１は、解錠動作設定時間のタイマ動作が解除されているか否か判別する（ステップＳ７）。解錠動作設定時間のタイマ動作が解除されていない場合、施錠動作信号の出力により不揮発性メモリ１９に記憶された解錠動作設定時間（例えば、１５分）がタイマにセットされ、タイマ動作が行われる。
【００８０】
一方、解錠動作設定時間のタイマ動作が解除されている場合、つまり、ステップＳ５で、解錠動作設定時間のタイマ動作の解除設定がされた場合、制御部２１は、当該処理を終了する。
【００８１】
次に、解錠動作設定時間が経過した場合には（ステップＳ８：Ｙ）、制御部２１は、施解錠部１３に対し解錠動作信号を出力する（ステップＳ９）。これにより、扉１０の解錠が行われることになる。
【００８２】
また、その解錠動作信号の出力により不揮発性メモリ１９に記憶された施錠動作設定時間（例えば、１０秒）が再びタイマにセットされ、タイマ動作が行われる。こうして、施錠動作設定時間が経過した場合には（ステップＳ１０：Ｙ）、制御部２１は、施解錠部１３に対し施錠動作信号を出力する（ステップＳ１１）。これにより、扉１０の施錠（自動ロック）が行われることになる。
【００８３】
以上説明したように、上記実施例１によれば、ユーザは、扉１０の前であっても、扉１０から数分離れた場所であっても、パケット通信によりそれぞれの状況にあった、より効果的な扉１０の施解錠を行うことができる。
【００８４】
なお、上記実施例１では、電子施解錠装置１の制御部２１が図５に示すステップＳ１において、取得された暗証番号と、不揮発性メモリ１９に記憶された暗証番号とが一致しているか否かを判別するように構成したが、このようなステップＳ１の処理を電子施解錠装置１が行わなくてもよい。つまり、情報提供サーバ４にて認証処理を行っているので、セキュリティが確保されているものとみなし、電子施解錠装置１の制御部２１は、解錠指令を有するパケットデータを受信した場合には、この解錠指令に基づいて、制御部２１は、施解錠部１３に対し解錠動作信号を出力するように構成する（施錠指令であった場合も同様）。なお、この場合も図５に示すステップＳ３〜Ｓ１１の処理を適用することができる。このような構成によれば、ユーザが暗証番号を携帯電話機３から入力する煩わしさを解消することができ、セキュリティを確保しつつ簡単に扉の施解錠を行うことができる。
【００８５】
また、上記実施例１の変形例として、情報提供サーバ４が図５に示すステップＳ１の処理を実行するように構成してもよい。例えば、情報提供サーバ４は、携帯電話機３から受信した暗証番号と、情報データベース４００に記憶された上記電子施解錠装置１（携帯電話機３に対応）の暗証番号とが一致しているか否かを判別し、暗証番号が一致している場合には、受信された解錠若しくは施錠指令を有するパケットデータを生成し、電子施解錠装置１のアドレス情報を含むヘッダ情報を付与してパケット網８に送出するように構成してもよい。このような構成でも、上記ステップＳ１の処理を電子施解錠装置１が行わなくてもよい上、２段階でチェックでき、セキュリティを向上させることができる。
【００８６】
また、上記実施例１の別の変形例として、情報提供サーバ４が図５に示すステップＳ３以降の処理を実行するように構成してもよい。この場合、情報提供サーバ４における情報データベース４００に、電子施解錠装置のアドレス情報に対応付けて施錠動作設定時間及び解錠動作設定時間を記憶しておく。電子施解錠装置１の開放感知部１４により扉の開放が感知された場合には、電子施解錠装置１は、扉の開放が感知されたことを示す情報を有するパケットデータを生成し、情報提供サーバ４のアドレス情報を当該パケットデータに付与してパケット網８に送出する。そして、情報提供サーバ４は、電子施解錠装置１からパケット網８に送出された扉の開放が感知されたことを示す情報を有するパケットデータを受信し、記憶するようにしておく。
【００８７】
情報提供サーバ４が、上記解錠指令を有するパケットデータの送出から施錠動作設定時間経過後に、扉の施錠指令を有するパケットデータを生成し、上記電子施解錠装置１のアドレス情報を当該パケットデータに付与してパケット網８に送出する。そして、解錠指令を有するパケットデータの送出から施錠指令を有するパケットデータの送出までの間に、情報提供サーバ４が、扉の開放が感知されたことを示す情報を有するパケットデータを受信しない場合には、上記施錠指令を有するパケットデータの送出から解錠動作設定時間経過後に、扉の解錠指令を有するパケットデータを生成し、上記電子施解錠装置１のアドレス情報を当該パケットデータに付与してパケット網８に送出するように構成する。
【００８８】
（実施例２）
実施例２では、電子施解錠装置１に振動が与えられ、振動感知情報等がパケット通信により情報提供サーバ４に提供される場合の施解錠システムＳにおける動作例について説明する。
【００８９】
電子施解錠装置１に振動（若しくは傾き）が与えられた場合、電子施解錠装置１の振動感知部１５は、その振動を感知し制御部２１に振動感知信号を出力する。
【００９０】
図６は、振動感知信号を受けた電子施解錠装置１の制御部２１の処理の流れを示すフローチャートである。
【００９１】
制御部２１は、振動感知部１５から振動感知信号を受けると、図６に示す処理を開始し、カメラ１６に対し電子施解錠装置１周辺の撮像指令を与えるとともに、当該カメラ１６により撮像され出力された画像情報を取得する（ステップＳ２１）。
【００９２】
次に、マイクロフォン１７に対し電子施解錠装置１周辺の集音指令を与えるとともに、当該マイクロフォン１７により集音され出力された音声情報を取得する（ステップＳ２２）。なお、制御部２１は、撮像指令若しくは集音指令から数秒間の画像情報及び音声情報を取得するようにする。
【００９３】
次に、制御部２１は、取得された画像情報及び音声情報とともに、振動感知情報を無線通信部１２及び不揮発性メモリ１９に出力する（ステップＳ２３）。なお、この時、制御部２１は、これらの情報を圧縮して無線通信部１２及び不揮発性メモリ１９に出力する。例えば、静止画像の場合、ＧＩＦやＪＰＥＧファイルに、動画像の場合、ＭＰＥＧ２やＭＰＥＧ３ファイルに圧縮する。
【００９４】
次に、制御部２１は、不揮発性メモリ１９に記憶された警報を示す警報音や、警報メッセージ等の音声情報を読み出し、スピーカ１８から出力する（ステップＳ２４）。また、制御部２１は、ブザーを鳴らすようにしてもよい。
【００９５】
ステップＳ２３にて不揮発性メモリ１９に出力された画像情報、音声情報、及び振動感知情報は、ここに記憶される。従って、後に、ユーザが、例えば、パソコン等により記憶された画像情報等を読み出し見ることができる。
【００９６】
ステップＳ２３にて無線通信部１２に出力された画像情報、音声情報、及び振動感知情報は、パケット生成部１２ｃによりパケットデータとして生成され、情報提供サーバ４のアドレス情報を含むヘッダ情報が付与される。そして、それらのパケットデータは、パケット送信部１２ｄにより、順次、アンテナ及び基地局５を介してパケット網８に送出される。
【００９７】
次に、情報提供サーバ４は、パケット網８に送出されたパケットデータを受信、解析し、画像情報、音声情報、及び振動感知情報を取得し、制御部４ａに出力する。制御部４ａは、振動感知情報等を受けると、これを電子施解錠装置１の識別情報等に対応付けて情報データベース４００に記憶する。
【００９８】
次に、制御部４ａは、情報データベース４００を参照し、当該電子施解錠装置１に対応する携帯電話機３を特定する。そして、制御部４ａは、振動通知手段として機能し、振動感知情報等が送信されたことを示す情報を、パケット網８を介して、例えば、電子メールにより携帯電話機３に通知、ユーザに提示する。これにより、携帯電話機３のユーザは、電子施解錠装置１に振動が与えられたことを知覚することができる。なお、かかる電子メールに上記画像情報及び音声情報に係るデータを添付するように構成してもよい。
【００９９】
次に、電子施解錠装置１に振動が与えられたことを知覚したユーザの操作により、携帯電話機３は、パケット網８を介して情報提供サーバ４にアクセスし、上述した認証処理を経て施解錠メニュー画面を取得し、表示パネル上に表示する。
【０１００】
次に、携帯電話機３の表示パネル上の施解錠メニュー画面において、振動感知の際における画像情報等の要求項目を、ユーザが操作ボタンにより選択実行すると、情報提供サーバ４は、これに応じ、画像情報提供手段及び音声情報提供手段として、携帯電話機３に対し情報データベース４００に記憶された上記画像情報及び音声情報を取得し、携帯電話機３に提供する。こうして、携帯電話機３のユーザは、振動が感知（傾きが検出）された際の電子施解錠装置１周辺の画像を携帯電話機３の表示パネル上で見ることができ、さらに、振動が感知された際の電子施解錠装置１周辺の音を携帯電話機３のスピーカから聞くことができる。この時、携帯電話機３のスピーカから、例えば、「只今、電子施解錠装置１に振動が与えられました。」等の音声が出力されるように構成してもよい。
【０１０１】
また、携帯電話機３の表示パネル上の施解錠メニュー画面における音声発生項目を、ユーザが操作ボタンにより選択実行すると、情報提供サーバ４は、これに応じ、予め記憶部４ｃに記憶されている音声情報、例えば、「直ぐに警察がきます」等の音声情報のパケットデータを生成し、電子施解錠装置１のアドレス情報を含むヘッダ情報を付与してパケット網８に送出する。このような音声情報は、音声発生項目を、ユーザが操作ボタンにより選択実行される時に、携帯電話機３から情報提供サーバ４に提供されるように構成してもよい。
【０１０２】
次に、電子施解錠装置１は、パケット網８に送出されたパケットデータを、基地局５及びアンテナを介して受信（パケット受信部１２ａによる）、解析（パケット解析部１２ｂ）し、音声情報を取得する。取得された音声情報は、制御部２１により、スピーカ１８から出力される。
【０１０３】
以上説明したように、上記実施例２によれば、扉１０が何者かによって強引に開放され、電子施解錠装置１の振動が感知（傾きが検出）された場合に、ユーザは、遠方からでも、その事実を携帯電話機３にて迅速に把握することができる。しかも、ユーザは、そのときの電子施解錠装置１周辺の画像や音声までをも、携帯電話機３にて確認することができるので、何が原因で電子施解錠装置１に振動が与えられたのかを迅速に把握することができ、迅速かつ的確に対応することが可能となる。よって、扉１０の遠方からの施解錠ばかりでなく、防犯効果も期待できる。
【０１０４】
なお、上記実施形態において、情報提供サーバ４は、解錠若しくは施錠指令を有するパケットデータの送信履歴（施解錠履歴）情報（例えば、送信時間、解錠若しくは施錠の別）を、携帯電話機３の識別情報に対応付けて情報データベース４００に記憶しておき、上記施解錠メニュー画面を通じて携帯電話機３から送信履歴の要求があった場合に、情報提供サーバ４は、送信履歴提供手段として、当該携帯電話機３の識別情報に対応する送信履歴情報を、当該携帯電話機３に提供するように構成してもよい。このような構成によれば、ユーザは、携帯電話機３から扉の施解錠を簡単にできるばかりでなく、その施解錠履歴も簡単に確認することができる。
【０１０５】
また、上記実施形態においては、電子施解錠装置１に通信部１１及び無線通信部１２を備させたが、通信部１１を備えさせないように構成してもよい。このような構成によれば、電話回線網７に接続するための有線ケーブルを無くすことができ、設置し易い電子施解錠装置１を提供することができる。
【０１０６】
【発明の効果】
以上説明したように、本発明によれば、パケット通信を利用し、防犯効果等を有した、より付加価値の高い電子施解錠装置及び施解錠システムを提供することができる。
【図面の簡単な説明】
【図１】施解錠システムＳの概要構成例を示す図である。
【図２】電子施解錠装置１が扉１０の開口部分に取り付けられているときの状態を示す図である。
【図３】電子施解錠装置１の機能ブロック例を示す図である。
【図４】情報提供サーバ４の機能ブロック例を示す図である。
【図５】暗証番号を受けた電子施解錠装置１の制御部２１の処理の流れを示すフローチャートである。
【図６】振動感知信号を受けた電子施解錠装置１の制御部２１の処理の流れを示すフローチャートである。
【符号の説明】
１  電子施解錠装置
２  電話機
３  携帯電話機
４  情報提供サーバ
４ａ  制御部
４ｂ  通信部
４ｃ  記憶部
５  基地局
６  交換局
７  電話回線網
８  パケット網
１１  通信部
１２  無線通信部
１３  施解錠部
１４  開放感知部
１５  振動感知部
１６  カメラ
１７  マイクロフォン
１８  スピーカ
１９  不揮発性メモリ
２０  設定部
２１  制御部
２２  充電器
２３  外部ＡＣ電源
Ｓ  施解錠システム
【図１】
0003728303.tif 000002
【図２】
0003728303.tif 000003
【図３】
0003728303.tif 000004
【図４】
0003728303.tif 000005
【図５】
0003728303.tif 000006
【図６】
0003728303.tif 000007